(57)【要約】【課題】本発明は、壁保護幕の吊下用に安価なフックを用いつつ、意匠性の低下を防止することができるエレベータのかご室を得ることを目的とするものである。【解決手段】天井傾斜部３ｃには、壁保護幕４を支持する幕支持部材７が複数のヒンジ８を介して回動自在に取り付けられている。幕支持部材７は、複数のフック１０を有している。また、幕支持部材７は、かご室内から見てかご室天井３の裏側に隠れる収納位置と、天井側面部３ｂとかご室壁１との間の隙間にフック１０を露出させる吊下位置との間で回動可能になっている。幕支持部材７は、吊下位置にあるときには、固定ねじにより天蓋２に対して固定される。【選択図】図１
2011251841.tif 000002
【特許請求の範囲】
【請求項１】
壁保護幕を吊り下げるためのフックを有する幕支持部材を備えたエレベータのかご室であって、
前記幕支持部材は、かご室内から見てかご室天井の裏側に隠れる収納位置と、前記かご室天井とかご室壁との間の隙間に前記フックを露出させる吊下位置との間で回動可能になっており、前記吊下位置にあるときには固定具により前記天蓋に対して固定されることを特徴とするエレベータのかご室。
【請求項２】
前記固定具はねじであり、前記幕支持部材には、前記ねじが貫通する孔が設けられていることを特徴とする請求項１記載のエレベータのかご室。
【請求項３】
前記幕支持部材は、ヒンジを介して前記かご室天井に取り付けられていることを特徴とする請求項１又は請求項２に記載のエレベータのかご室。
【請求項４】
前記幕支持部材は、断面Ｌ字形の幕支持部材本体と、前記幕支持部材本体に固定された前記フックとしてのボルトとを有していることを特徴とする請求項１から請求項３までのいずれか１項に記載のエレベータのかご室。
【発明の詳細な説明】
【技術分野】
【０００１】
この発明は、壁保護幕を吊り下げるためのフックが設けられているエレベータのかご室に関するものである。
【背景技術】
【０００２】
一般に、エレベータを利用して大型の荷物などを運搬する際に、かご室壁の表面を保護する場合、かご室壁に壁保護幕が取り付けられる。このとき、かご室壁が磁性体であれば、マグネットを用いて壁保護幕をかご室壁に取り付けることができる。これに対して、非磁性体製のかご室壁を有する従来のエレベータでは、壁保護幕を吊り下げるための複数のフックがかご室壁に予め設けられている（例えば、特許文献１参照）。
【先行技術文献】
【特許文献】
【０００３】
【特許文献１】実開昭５８−１６６５６６号公報
【発明の概要】
【発明が解決しようとする課題】
【０００４】
上記のようなフックを用いた従来の壁保護幕の取付構造では、かご室壁にフックが設けられているため、かご室内の意匠性が低下してしまう。また、意匠性を向上させるために高級な仕上げのフックを用いる傾向があり、コストが高くなってしまう。
【０００５】
この発明は、上記のような課題を解決するためになされたものであり、壁保護幕の吊下用に安価なフックを用いつつ、意匠性の低下を防止することができるエレベータのかご室を得ることを目的とする。
【課題を解決するための手段】
【０００６】
この発明に係るエレベータのかご室は、壁保護幕を吊り下げるためのフックを有する幕支持部材を備え、幕支持部材は、かご室内から見てかご室天井の裏側に隠れる収納位置と、かご室天井とかご室壁との間の隙間にフックを露出させる吊下位置との間で回動可能になっており、吊下位置にあるときには固定具により天蓋に対して固定される。
【発明の効果】
【０００７】
この発明のエレベータのかご室は、壁保護幕を使用しないときに幕支持部材を収納位置に位置させてかご室天井の裏側に隠しておくことができるため、壁保護幕の吊下用に安価なフックを用いつつ、意匠性の低下を防止することができる。
【図面の簡単な説明】
【０００８】
【図１】この発明の実施の形態１によるエレベータのかご室を示す正面図である。
【図２】図１のＩＩ部を拡大して示す構成図である。
【図３】図２の幕支持部材を吊下位置に変位させた状態を示す構成図である。
【図４】この発明の実施の形態２によるエレベータのかご室の要部を示す構成図である。
【図５】図４の幕支持部材を吊下位置に変位させた状態を示す構成図である。
【発明を実施するための形態】
【０００９】
以下、この発明を実施するための形態について、図面を参照して説明する。
実施の形態１．
図１はこの発明の実施の形態１によるエレベータのかご室を示す正面図であり、かご室前面のかご室壁（袖壁）を取り除いてかご室内を正面から見た図である。図において、かご室は、複数のかご室壁１と、かご室壁１の上端に固定された天蓋２と、天蓋２の下部に固定された箱状のかご室天井３とを有している。例えば大型の荷物などを運搬する場合、かご室内には、かご室壁１の表面を覆うように壁保護幕４が取り付けられる。
【００１０】
図２は図１のＩＩ部を拡大して示す構成図である。天蓋２は、水平な天蓋上面部２ａと、天蓋上面部２ａの端部から直角に折り曲げられ、かご室壁１の表面と面一の面を形成する天蓋側面部２ｂとを有している。
【００１１】
かご室天井３は、かご室内に対向する水平な天井下面部３ａと、天井下面部３ａの端部から直角に折り曲げられ、かご室壁１及び天蓋側面部２ｂに対向する天井側面部３ｂと、天井側面部３ｂの上端部から内側へ斜めに折り曲げられた天井傾斜部３ｃと、天井固定具５により天蓋上面部２ａに固定された天井固定部３ｄとを有している。
【００１２】
天蓋上面部２ａの上面には、複数（図では１個のみ示す）のナット６が互いに間隔をおいて固着（溶着）されている。天蓋上面部２ａには、ナット６のねじ孔に連続した複数の貫通孔が設けられている。
【００１３】
天井傾斜部３ｃには、壁保護幕４を支持する幕支持部材（ヒンジカバー）７が複数（図では１個のみ示す）のヒンジ８を介して回動自在に取り付けられている。幕支持部材７は、基端部がヒンジ８に固定された平板状の幕支持部材本体９と、幕支持部材本体９の先端部近傍に互いに間隔をおいて固定された複数（図では１個のみ示す）のフック１０とを有している。天井傾斜部３ｃには、フック１０を通す開口が設けられている。
【００１４】
また、幕支持部材７は、かご室内から見てかご室天井３の裏側に隠れる収納位置（図２に示した位置）と、天井側面部３ｂとかご室壁１との間の隙間にフック１０を露出させる吊下位置との間で回動可能になっている。
【００１５】
図３は図２の幕支持部材７を吊下位置に変位させた状態を示す構成図である。幕支持部材７は、吊下位置にあるときには、水平であり、天蓋上面部２ａに当接されている。また、幕支持部材７は、吊下位置にあるときには、固定具である複数の固定ねじ１１により天蓋２に対して固定される。幕支持部材７には、固定ねじ１１のねじ部を貫通する複数の貫通孔が設けられている。各固定ねじ１１は、かご室内から、幕支持部材７及び天蓋上面部２ａの貫通孔を通してナット６に螺着される。
【００１６】
壁保護幕４の上端部には、複数の孔が設けられており、これらの孔にフック１０を通すことにより、壁保護幕４がフック１０から吊り下げられる。
【００１７】
このようなエレベータのかご室では、壁保護幕４を使用しないときに幕支持部材７を収納位置に位置させてかご室天井３の裏側に隠しておくことができるため、壁保護幕４の吊下用に安価なフック１０を用いつつ、意匠性の低下を防止することができる。また、壁保護幕４を使用するときには、幕支持部材７を上方へ回動させ、固定ねじ１１により天蓋２に固定する。これにより、天井側面部３ｂとかご室壁１との間の隙間にフック１０を露出させ、フック１０に壁保護幕４を掛けることができる。
【００１８】
また、吊下位置にあるとき幕支持部材７を天蓋上面部２ａに固定するようにしたので、フック１０を天蓋側面部２ｂからある程度離して配置することができ、これにより、壁保護幕４とかご室壁１の表面との間に隙間を設け、壁保護幕４との接触によりかご室壁１の表面が損傷されるのを防止することができる。
【００１９】
実施の形態２．
次に、図４はこの発明の実施の形態２によるエレベータのかご室の要部を示す構成図、図５は図４の幕支持部材を吊下位置に変位させた状態を示す構成図である。図において、実施の形態２における幕支持部材１２は、基端部がヒンジ８に固定された断面Ｌ字形の幕支持部材本体１３と、幕支持部材本体１３の先端部近傍に互いに間隔をおいて固定された複数のナット１４と、ナット１４に螺着されて幕支持部材本体１３に対して固定された複数のボルト１５とを有している。
【００２０】
また、幕支持部材１２は、かご室内から見てかご室天井３の裏側に隠れる収納位置（図４）と、天井側面部３ｂとかご室壁１との間の隙間にボルト１５を露出させる吊下位置（図５）との間で回動可能になっている。壁保護幕４は、ボルト１５に掛けられる。即ち、ボルト１５は、壁保護幕４を吊り下げるフックとして機能する。他の構成は、実施の形態１と同様である。
【００２１】
このような幕支持部材１２を用いても、実施の形態１と同様の効果を得ることができる。また、ボルト１５をフックとして用いたので、幕支持部材１２を安価に構成し、コストを低減することができる。
【００２２】
なお、幕支持部材７，１２の天蓋２への固定方法は、実施の形態１、２の方法に限定されるものではなく、固定ねじ１１以外の固定具により固定してもよい。
また、実施の形態１、２では、幕支持部材７，１２をかご室天井３に取り付けたが、天蓋２に取り付けてもよい。
さらに、実施の形態１、２では、ヒンジ８を介して幕支持部材７，１２をかご室天井３に取り付けたが、幕支持部材７，１２の回動が可能であれば必ずしもヒンジ８を用いなくてもよい。例えば幕支持部材７，１２に回動軸を設けるとともに、その回動軸を回動可能に保持する軸保持部をかご室天井３等に設けてもよい。
さらにまた、幕支持部材７，１２は、例えばフック１０（又はボルト１５）毎に複数に分割してもよい。
【符号の説明】
【００２３】
１  かご室壁、２  天蓋、３  かご室天井、４  壁保護幕、７，１２  幕支持部材、８  ヒンジ、９，１３  幕支持部材本体、１０  フック、１１  固定ねじ（固定具）、１５  ボルト（フック）。
【図１】
2011251841.tif 000003
【図２】
2011251841.tif 000004
【図３】
2011251841.tif 000005
【図４】
2011251841.tif 000006
【図５】
2011251841.tif 000007